(57)【特許請求の範囲】
【請求項１】
縦横の長さが異なり、横長位置が正規挿入方向であり、かつ横長の一辺にコンタクト挿入穴を有する情報記憶カードを挿脱するカードコネクタであって、
横長位置に向けたカードを挿入したとき該カードの両端部を同時に受け入れ、縦長位置に向けたカードの両端部は同時には受け入れない左右挿入溝を有し、かつ上記コンタクト挿入穴に挿入することにより電気的に導通するコンタクトを支持したコネクタ本体と；
このコネクタ本体の左右挿入溝の中間に位置させて、該左右挿入溝を結ぶ平面によって規定されるカード挿入平面内に突出させて設けた誤挿入防止板ばねと；
上記コネクタ本体の上記カード挿入平面から外れた位置に形成した、上記コンタクトの先端と上記誤挿入防止板ばねの間に位置するストッパ部と；
を有し、
この誤挿入防止ばねは、カードが横長位置に向けて左右挿入溝に正しく挿入されたときは、該カードによって直接押圧されることによって上記カード挿入平面から退避する方向に弾性変形して上記カードが該カード挿入平面内を移動するのを許容し、カードが縦長位置に向けて不完全に挿入されたときは、該カードを直接押圧して上記正規カード挿入平面内への進入を許さずに上記ストッパ部側に導くことを特徴とするカードコネクタの誤挿入防止装置。
【発明の詳細な説明】
【０００１】
【技術分野】
本発明は、ＩＣカード（コンパクトフラッシュ）のような情報記録カードを挿脱するコネクタに関し、縦横の長さが異なり、横長位置が正規挿入方向であるカードを挿脱するカードコネクタに関する。
【０００２】
【従来技術およびその問題点】
横長位置が正規挿入方向であるカードのコネクタは、カードを縦長位置にしても挿入が可能である。このため、誤挿入された縦長カードが、コンタクト群を変形または損傷するおそれがある。コンタクト群が変形または損傷すると、正しい接続が得られない。
【０００３】
【発明の目的】
本発明は、縦横の長さが異なり、横長位置が正規挿入方向であるカードの誤挿入を簡単な構造で防止できる装置を得ることを目的とする。
【０００４】
【発明の概要】
本発明によるカードの誤挿入防止装置は、縦横の長さが異なり、横長位置が正規挿入方向であり、かつ横長の一辺にコンタクト挿入穴を有する情報記憶カードを挿脱するカードコネクタであって、横長位置に向けたカードを挿入したとき該カードの両端部を同時に受け入れ、縦長位置に向けたカードの両端部は同時には受け入れない左右挿入溝を有し、かつ上記コンタクト挿入穴に挿入することにより電気的に導通するコンタクトを支持したコネクタ本体と；このコネクタ本体の左右挿入溝の中間に位置させて、該左右挿入溝を結ぶ平面によって規定されるカード挿入平面内に突出させて設けた誤挿入防止板ばねと；上記コネクタ本体の上記カード挿入平面から外れた位置に形成した、上記コンタクトの先端と上記誤挿入防止板ばねの間に位置するストッパ部と；を有し、この誤挿入防止ばねは、カードが横長位置に向けて左右挿入溝に正しく挿入されたときは、該カードによって直接押圧されることによって上記カード挿入平面から退避する方向に弾性変形して上記カードが該カード挿入平面内を移動するのを許容し、カードが縦長位置に向けて不完全に挿入されたときは、該カードを直接押圧して上記正規カード挿入平面内への進入を許さずに上記ストッパ部側に導くことを特徴としている。
【０００５】
【発明の実施形態】
図１は、コンパクトフラッシュ（ＩＣカード、以下ＣＦカード）用のカードコネクタ１０を示している。ＣＦカードは縦横の長さが異なり、横長位置が正規位置の情報記録カードであり、横長の一辺（挿入方向奥部の一辺）には、コンタクト群の挿入穴（図示せず）が形成されている。
【０００６】
カードコネクタ１０は、基板Ｂ上に固定された絶縁樹脂製のコネクタ本体１１を有し、コネクタ本体１１には、横長位置のＣＦカードの両端部を支持する左右挿入溝１２が形成されている。左右挿入溝１２を結ぶ平面は、カードの正規挿入平面を構成する。また、この左右挿入溝１２の奥部に位置する奥部壁１３には、コンタクト群１４が支持されている。このコンタクト群１４は、カード正規挿入平面に臨みカード挿脱方向に向く棒状接触部１４ａと、基板Ｂ上のランドにそれぞれ導通固定される固定部１４ｂとを有している。このコネクタ本体１１の下面（基板Ｂ側の面）は、左右挿入溝１２部分を除いて開放されており、上面には、切欠１５が形成されている。
【０００７】
コネクタ本体１１上には、基板Ｂ上に固定された金属材料（板ばね材料）からなるカバー部材２０が被せられている。このカバー部材２０には、切欠１５からコネクタ本体１１内に入り込む誤挿入防止ばね２１と遊び取りばね２２とが、切り起こし片として形成されている。この誤挿入防止ばね２１と遊び取りばね２２は、それぞれその先端部が、コネクタ本体１１の左右挿入溝１２によって規定されるカード挿入平面内に突出している。
【０００８】
カバー部材２０には、軸３１でシーソーレバー３０が枢着されている。また、コネクタ本体１１（カバー部材２０）の一側部には、直進移動自在にイジェクトレバー３２が支持されている。シーソーレバー３０には、その一端部に、左右挿入溝１２に挿入されたＣＦカードとの係合部３０ａが形成されており、他端部には、イジェクトレバー３２に形成した係合溝３２ａに嵌まるイジェクトレバー係合部３０ｂが形成されている。ＣＦカードが挿入されてカード係合部３０ａが押されると、シーソーレバー３０が軸３１を中心に図１の時計方向に回動し、このシーソーレバー３０の回動により、レバー係合部３０ｂと係合溝３２ａを介し、イジェクトレバー３２が突出方向（図１の左方）に移動する。
【０００９】
逆に、ＣＦカードがコネクタ本体１１内に挿入されている状態で、イジェクトレバー３２を押し込むと、係合溝３２ａとレバー係合部３０ｂを介してシーソーレバー３０が図１の反時計方向に回動し、カード係合部３０ａを介してＣＦカードをコネクタ本体１１から排出する（ＣＦカードのコンタクト挿入穴とコンタクト群１４の棒状接触部１４ａとが非接触となる位置まで移動する）。このようなカードコネクタ及びイジェクタ機構は、周知である。
【００１０】
上記構成の本カードコネクタ１０は従って、ＣＦカードを横長の正規位置に向けた状態（図２に鎖線で示した状態）で、コネクタ本体１１の左右挿入溝１２にその両端部を挿入すると、ＣＦカードは正しくカード挿入平面内を移動するため、該カード挿入平面内に先端部が突出している誤挿入防止ばね２１と遊び取りばね２２は、該ＣＦカードにより押されて弾性変形する。すなわち、正規位置の横長に向けたＣＦカードは、正しく左右挿入溝１２に挿入することができ、挿入端まで挿入すると、そのコンタクト挿入穴に、コンタクト群１４の棒状接触部１４ａが正しく挿入されて、電気的な導通がなされる。誤挿入防止ばね２１と遊び取りばね２２（特に遊び取りばね２２）は、左右挿入溝１２とＣＦカードの板厚方向の遊びをとる役割をする。横長の正規位置に向けたＣＦカードをコネクタ本体１１の左右挿入溝１２に正しく挿入したときには、シーソーレバー３０とイジェクトレバー３２が上述のように動作し、イジェクトレバー３２を押し込むことにおり、排出することができる。
【００１１】
これに対し、ＣＦカードを縦長位置に向けた状態（図２の実線で示した状態）でコネクタ本体１１に挿入すると、縦長位置に向けたＣＦカードは、左右挿入溝１２のいずれか一方に係合させることはできても、両方に同時に係合することができない。このため、左右挿入溝１２の間の誤挿入防止ばね２１が必ずＣＦカードの上面に当接して正しいカード挿入平面からＣＦカードを変位させ（カード挿入平面内への進入を許さず、コネクタ本体１１に形成したストッパ部１１ａ側に導く）、ＣＦカードがコンタクト群１４の棒状接触部１４ａに到達するのを防止する（図３）。従ってコンタクト群１４の破損を防止することができる。
【００１２】
以上の実施形態の遊び取りばね２２は、省略することが可能である。また、図示実施形態のカードコネクタ及びイジェクタ機構は、一例を示すものであり、本発明は、コネクタ本体１１に形成した左右挿入溝１２内に挿入するＣＦカードの正規位置が横長位置であるカードコネクタ一般に採用できる。また、図示実施形態は、ＣＦカードにコンタクト挿入穴を形成し、コネクタ本体１１にコンタクト群１４を設けるタイプであるが、ＣＦカードの表面にランド群を設け、コネクタ本体１１にこの表面ランドに接触する弾性脚からなるコンタクト群を設けるタイプにも勿論適用できる。
【００１３】
【発明の効果】
以上のように本発明のカードの誤挿入防止装置によれば、縦横の長さが異なり、横長位置が正規挿入方向であるカードの誤挿入を簡単な構造で防止できる。
【図面の簡単な説明】
【図１】本発明によるカードの誤挿入防止装置の一実施形態を示す全体の分解斜視図である。
【図２】同組立状態の平面図である。
【図３】図２のIII‐III線に沿う断面図である。
【図４】図２のIV‐IV線に沿う断面図である。
【符号の説明】
ＣＦ  情報記録カード
１０  カードコネクタ
１１  コネクタ本体
１２  左右挿入溝
１３  奥部壁
１４  コンタクト群
１５  切欠
２０  カバー部材
２１  誤挿入防止ばね
２２  遊び取りばね
３０  シーソーレバー
３２  イジェクトレバー
【図１】
0004527887.tif 000002
【図２】
0004527887.tif 000003
【図３】
0004527887.tif 000004
【図４】
0004527887.tif 000005